(57)【要約】【目的】破砕機やタイヤカッターなどとして使用可能な小型の廃棄物の切断処理装置を提供し、現場での処理を可能にする。【構成】廃棄物５６を押しつぶすための加圧部２９と、押しつぶされた廃棄物５６を切断するため、加圧部２９に隣接配置した切断部４５とを具備し、加圧部２９は廃棄物５６をセットするためにセット箇所から離れかつ廃棄物５６を押しつぶすためにセット箇所方向へ移動可能に設けられており、また廃棄物を押しつぶしながら送り出すローラー１６、２４を有していて、送り出される廃棄物を切断部４５のカッター４６により切断する。【選択図】        図６
2004249177.tif 000002
【特許請求の範囲】
【請求項１】
タイヤ、パイプなど中空構造を持った廃棄物を切断処理するための装置であって、廃棄物を押しつぶすための加圧部と、押しつぶされた廃棄物を切断するため、加圧部に隣接配置した切断部とを具備し、加圧部は廃棄物をセットするためにセット箇所から離れかつ廃棄物を押しつぶすためにセット箇所方向へ移動可能に設けられており、また廃棄物を押しつぶしながら送り出すローラーを有していて、送り出される廃棄物を切断部のカッターにより切断することを特徴とする廃棄物の切断処理装置。
【請求項２】
ローラーは、廃棄物を押しつぶしながら送り出す方向に切れ目を入れる機能を有している請求項１記載の廃棄物の切断処理装置。
【請求項３】
加圧部は、上下のローラー群から成っていて、上部ローラー群は下部ローラー群に対して上下に移動可能に設けられており、上部ローラー群と下部ローラー群は夫々軸方向に間隔を設けて取り付けられたローラーを複数個有している請求項１又は２記載の廃棄物の切断処理装置。
【請求項４】
上下のローラー群は、接近すると、上部ローラー群のローラーと、下部ローラー群のローラーとが互いに噛み合うように構成されている請求項３記載の廃棄物の切断処理装置。
【発明の詳細な説明】
【０００１】
【発明の属する技術分野】
本発明は、タイヤ、パイプなど中空構造を持った廃棄物を切断処理するための装置に関するものである。
【０００２】
【従来の技術】
ガス配管として使用されたポリエチレンパイプや上水道用の塩化ビニル管、或いはケーブル用のフレキシブルパイプ等の様々なパイプ類が工事に伴い廃棄される。これらが廃材として出されるのは工事現場であり、大体において近くに処理設備はないと見て良い。従って、処分場まで廃材を運ばなければならず、特に長尺物の場合には大型トラックが必要となるなど、不自由が多い。
【０００３】
こうした廃材の処理には、破砕機であるとか、粉砕機或いは破袋機などと呼ばれる装置が使用される。しかしこれらの装置では回転カッターの直径を越える廃材は取り扱えないため、より大きなカッターを取り付ける装置が必要となり、その結果装置は次第に大型化し、高価とならざるを得ない。
【０００４】
同様の問題は自動車タイヤについても当てはまる。タイヤ販売店では常時大量の古タイヤを抱えることになるが、これらは燃料として焼却するにしても、或いは資源ごみとして再利用する場合でも、細かく粉砕する必要がある。しかし、タイヤカッターなどと呼ばれる従来の処理装置は、店の片隅に置けるというほど小型のものではない。
【０００５】
【発明が解決しようとする課題】
本発明は前記の点に着目してなされたものであり、その課題は、破砕機やタイヤカッターなどとして使用可能な廃棄物の切断処理装置を小型化し、現場での処理を可能にすることである。また本発明の他の課題は、廃棄物の保管スペースを削減し、中間処理施設などへの輸送効率を工場させることである。
【０００６】
【課題を解決するための手段】
前記の課題を解決するため、本発明は、廃棄物を押しつぶすための加圧部と、押しつぶされた廃棄物を切断するため、加圧部に隣接配置した切断部とを具備し、加圧部は廃棄物をセットするためにセット箇所から離れかつ廃棄物を押しつぶすためにセット箇所方向へ移動可能に設けられており、また廃棄物を押しつぶしながら送り出すローラーを有していて、送り出される廃棄物を切断部のカッターにより切断するという手段を講じたものである。
【０００７】
本発明に係る廃棄物の切断処理装置は、タイヤやパイプなど中空構造を持った廃棄物を切断処理するためのものである。中空構造を有する廃棄物は、押しつぶすことによって体積を著しく減らし、また切断し易くすることができるとの認識による。なお、処理対象の廃棄物は、前記ガス管として使われたポリエチレンパイプ、水道管として使われた塩化ビニル管、ケーブル敷設に使われたフレキシブルパイプ等を含む。
【０００８】
従って本発明の切断処理装置は、廃棄物を押しつぶすための加圧部と、押しつぶされた廃棄物を切断するための切断部とを具備している。加圧部で押しつぶされた廃棄物を直ちに切断するために、切断部は加圧部に隣接配置されている。タイヤなどは押しつぶしてもすぐに原形に戻ろうとするが、加圧部のすぐ近くに切断部を配置することによって原形へ戻る前に廃棄物を切断することができるからである。
【０００９】
加圧部は廃棄物をセットするためにセット位置から離れ、それによってセット位置に廃棄物をセットできるように加圧部の間隔ｄを拡げ、かつ廃棄物を押しつぶすためにセット位置方向へ再び移動して間隔を狭めるように設ける。図４、図５参照。加圧部は、移動して廃棄物を押しつぶしながら送り出すローラーを複数個有しており、ローラーによって送り出される廃棄物を、加圧部出口側に送り出す。加圧部は、一対のローラーを接触・離間可能に配置して構成することができるが、必ずしもこの構成に限定されるものではない。
【００１０】
ローラーは、廃棄物を押しつぶしながら送り出す方向（縦方向）に切れ目を入れる機能を有するものとすることができる。例えばローラーの両側の縁が刃となって廃棄物を押し切るものであるが、このためにローラーの最外周の部分で廃棄物を加圧方向に押し込むことができるように構成されることが必要である。しかし廃棄物を送り方向へ押し切るために刃を設ける必要は特にない。
【００１１】
例えば、加圧部は上下ローラー群から成るものとし、さらに上部ローラー群が下部ローラー群に対して上下に移動可能に設けられている構成を具備することが望ましい。この場合、上部ローラー群と下部ローラー群は、夫々軸方向に間隔を設けて取り付けられたローラーを有し、接近すると上部ローラー群のローラーと下部ローラー群のローラーとが互いに噛み合うように軸方向に交互に構成される。即ち、廃棄物は上部ローラー群と下部ローラー群とに挾まれて加圧されるので切れ目が入るようになるものである。しかし、切れ目が入るとは言っても常に切れ目が入らなくても良く、それでも本発明の目的は達成される。予め廃棄物に縦の切れ目を或る程度入れることができれば、最終的に切断部により切断された物は、より細かく切れることになるからである。
【００１２】
加圧部から押しつぶされて送り出される廃棄物を切断するために、加圧部出口側に切断用のカッターが設けられる。カッターは、加圧部出口に接近して配置され、タイヤのように弾力性で原形に戻りやすい廃棄物に対しても、切断処理が確実に行えるようになっている。図３、図４及び図５参照。カッターは、広幅シャーいわゆるギロチンカッター式の歯わたりが比較的長い押し切り機で良いがこれに限定されるものではない。
【００１３】
【発明の実施の形態】
以下図示の例を参照して本発明をより詳細に説明する。例示されている廃棄物の切断処理装置１０は、竪型に構成されており、基台１１上に左右一対のベースブロック１２、１３が設けられ夫々に軸受１４が設けられていて（図２）、シャフト１５の両端を軸承し、シャフト１５は下部ローラー群を構成する数個のローラー１６を有しており、モーター１７によって駆動される状態にある。
【００１４】
左右のベースブロック１２、１３には、左右各２本ずつから成るガイドロッド１８、１９が立設されており、このガイドロッド１８、１９には、スライドブロック２０、２１がガイドロッド沿いに上下移動可能に設けられている。スライドブロック２０、２１には軸受２２が夫々設けられていて、シャフト２３の両端を軸承しており、シャフト２３は上部ローラー群を構成する数個のローラー２４を有しており、かつモーター２５によって駆動される。
【００１５】
下部ローラー群のローラー１６と上部ローラー群のローラー２４とは夫々歯車型の形状を有し、確実に廃棄物に喰い込みやすく、かつ押しつぶしながら送り出しやすいように形成されている。また、下部ローラー群のローラー１６と上部ローラー群のローラー２４とは、各シャフト１５、２３の軸方向に間隔を開けて取り付けられ、一方のローラー１６と他方のローラー２４とが接近時に食い違い状になるように配置されている（図５、図７）。最接近時の加圧部の間隔は−ｄとなる。下部ローラー群のローラー１６の軸方向長さはローラースペーサー２６の長さよりも小さく設定され、この寸法関係は、上部ローラー群のローラー２４とローラースペーサー２７の長さにも当てはまる。ローラー１６、２４の軸方向長さとローラースペーサー２６、２７の長さとの差は小さくするとより大きな剪断効果が得られる。各ローラー１６、２４についてはこれをシャフト１５、２３から取り外し、間隔や配置を変更したり、他のローラーと交換したりすることができる。なお、ローラー１６、２４は回転方向等を制御可能とする。
【００１６】
下部ローラー群に対して上下に移動可能に設けられている上部ローラー群を駆動するために、スライドブロック２０、２１を案内するガイドロッド１８、１９の上部に、シリンダー装置３０、３１が設けられている。３２、３３はシリンダーヘッド、３４、３５はシリンダーキャップを示す。装置は油圧方向制御弁３６を有し、レバー３７の操作によって、上部ローラー群の下方移動及び上方移動並びに移動停止等が制御される。３８はピストン、３９はシリンダーロッド、４０はタイロッドを示しており、シリンダーロッド３９の下部にスライドブロック２０、２１が取り付けられている（図２、図５、図６）。また、４１は左右のシリンダーヘッドを連結したビーム板、４２はガード板であり、ガイドロッド１８、１９を保護する。故に、上部ローラー群とこれを上下移動させるシリンダー装置３０、３１及び下部ローラー群とは廃棄物を押しつぶす加圧部２９を構成している。そして図示の例では上部ローラー群と下部ローラー群との間隔として示されているセット箇所上方の間隔は、廃棄物をセットする間隔＋ｄから押しつぶす際の間隔−ｄまで変化させることができる。
【００１７】
切断部４５は、本体背面側に位置する加圧部出口側に設けられている（図３〜５）。例示の切断部４５はギロチン式のカッター４６を有し、カッター４６は、下部ローラー群の背後に設けた下部架材４７から、下降して廃棄物を押圧する状態に於いて、上部ローラー群の背後に設けた上部架材４８にかけての位置まで移動可能である。このカッター４６はガイドロッド１８、１９の背後に配置したカッター用の油圧装置５０、５１によって駆動される。５２はこの油圧装置におけるピストン、５３はピストンロッドで、ピストン５２とカッター４６とを両端に有している。また５４はシリンダーキャップ、５５はシリンダーヘッドを示す。
【００１８】
このように構成されている本発明の廃棄物の切断処理装置１０では、図４に示したようにセット部分である下部ローラー群と上部ローラー群との間の間隔ｄを十分に拡げた状態として、そこに廃棄物５６を正面から、即ち図４の左側面側から配置する。ここでレバー３７の操作により、シリンダー装置３０、３１を作動させて上部ローラー群を下降させ、回転している下部ローラー群のローラー１６と上部ローラー群のローラー２４とによって、廃棄物５６を加圧し、押しつぶしながら、廃棄物５６を上下に剪断し（図７）、同時に正面から背面方向へ送り出す。
【００１９】
上下に押しつぶされ、かつ送り出し方向に剪断による縦の切れ目が形成された廃棄物５６′に対して、切断部４５による切断処理が行われる。図６には、便宜上、押し出されたままの廃棄物５６′が示されているが、これは切断処理によって横方向に切断される（図６中、縦の２点鎖線で示す。）。かくして廃棄物５６は縦方向（送り方向）に剪断されると同時に横方向（幅方向）に切断され、細かく切断処理されることとなる。
【００２０】
【発明の効果】
本発明は以上の如く構成されかつ作用するものであるから、小型の切断処理装置を提供することができ、従来の破砕機やタイヤカッターなどと称される大型の装置を使用しなくても、工事現場等に設置して現場処理することができるとともに、本装置により廃棄物を押しつぶしながらカッターにより切断することができるものであり、しかも加圧部のローラーにより廃棄物を前もって縦方向に剪断することができるので、廃棄物をチップ状に切断処理することができるという効果を有する。
【図面の簡単な説明】
【図１】本発明に係る廃棄物の切断処理装置の１例を示す正面図。
【図２】同じくローラー等を断面で示しかつ上部ローラー群を下降させた正面図。
【図３】図１のものに対応する背面図。
【図４】図１のものに対応する一部断面側面図。
【図５】同じく上部ローラー群を下降させかつカッターを上昇させた状態の側面図。
【図６】廃棄物を押しつぶしながら送り出している状態を示す側面図。
【図７】図６のものに対応する背面図。
【符号の説明】
１６、２４  ローラー
１８、１９  ガイドロッド
２０、２１  スライドロック
２９  加圧部
３７  操作レバー
４５  切断部
４６  カッター
【図１】
2004249177.tif 000003
【図２】
2004249177.tif 000004
【図３】
2004249177.tif 000005
【図４】
2004249177.tif 000006
【図５】
2004249177.tif 000007
【図６】
2004249177.tif 000008
【図７】
2004249177.tif 000009